【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
物体側から順に正の屈折力を有する第１群、負の屈折力を有する第２群、正の屈折力を有する第３群、正の屈折力を有する第４群より構成され、広角端から望遠端への変倍に際して、第１群と第２群の空気間隔が大きく、第２群と第３群の空気間隔が小さく、第３群と第４群の空気間隔が小さくなるように、第１群、第３群、第４群が物体側へ移動し、広角端におけるバックフォーカスをＳｋｗ、第３群の焦点距離をｆ３、広角端における全系の焦点距離をｆｗとしたとき、
０．２  ＜  ｆｗ／Ｓｋｗ＜  ０．６
０．０１＜  ｆｗ／ｆ３  ＜  ０．４
なる条件を満足することを特徴とするズームレンズ。
【請求項２】
物体側から順に正の屈折力を有する第１群、負の屈折力を有する第２群、正の屈折力を有する第３群、正の屈折力を有する第４群より構成され、広角端から望遠端への変倍に際して、第１群と第２群の空気間隔が大きく、第２群と第３群の空気間隔が小さく、第３群と第４群の空気間隔が小さくなるように、第１群、第３群、第４群が物体側へ移動し、広角端におけるバックフォーカスをＳｋｗ、絞りからレンズ最終面までの距離をＤｐｗ、広角端におけるレンズ第１面からレンズ最終面までの距離をＴＤｗ、広角端における全系の焦点距離をｆｗとしたとき、
０．２  ＜  ｆｗ／Ｓｋｗ  ＜  ０．６
０．２  ＜  ｆｗ／Ｄｐｗ  ＜  ０．４
０．４  ＜  Ｓｋｗ／ＴＤｗ＜  ０．８
なる条件を満足することを特徴とするズームレンズ。
【請求項３】
物体側から順に正の屈折力を有する第１群、負の屈折力を有する第２群、正の屈折力を有する第３群、正の屈折力を有する第４群より構成され、広角端から望遠端への変倍に際して、第１群と第２群の空気間隔が大きく、第２群と第３群の空気間隔が小さく、第３群と第４群の空気間隔が小さくなるように、第１群、第３群、第４群が物体側へ移動し、広角端におけるバックフォーカスをＳｋｗ、広角端から望遠端への変倍における第４群の移動量をｍ４、広角端における全系の焦点距離をｆｗとしたとき、
０．２  ＜  ｆｗ／Ｓｋｗ＜  ０．６
−３．０  ＜  ｍ４／ｆｗ  ＜  −０．４
なる条件を満足することを特徴とするズームレンズ。
【請求項４】
物体側から順に正の屈折力を有する第１群、負の屈折力を有する第２群、正の屈折力を有する第３群、正の屈折力を有する第４群より構成され、広角端から望遠端への変倍に際して、第１群と第２群の空気間隔が大きく、第２群と第３群の空気間隔が小さく、第３群と第４群の空気間隔が小さくなるように、第１群、第３群、第４群が物体側へ移動し、第３群は１枚の正レンズから成り、広角端におけるバックフォーカスをＳｋｗ、広角端における全系の焦点距離をｆｗとしたとき、
０．２  ＜  ｆｗ／Ｓｋｗ  ＜  ０．６
なる条件を満足することを特徴とするズームレンズ。
【請求項５】
前記第２群を光軸方向に移動させることにより無限遠から至近までのフォーカシングを行い、前記第２群の焦点距離をｆ２、広角端における全系の焦点距離をｆｗとしたとき、
−１．０  ＜  ｆ２／ｆｗ  ＜  −０．５
なる条件を満足することを特徴とした請求項１〜請求項４のいずれかに記載のズームレンズ。
【請求項６】
前記第４群の焦点距離をｆ４、広角端における全系の焦点距離をｆｗとしたとき、
１．３  ＜  ｆ４／ｆｗ  ＜  ３．０
なる条件を満足することを特徴とした請求項１〜請求項４のいずれかに記載のズームレンズ。
【請求項７】
前記第１群の焦点距離をｆ１、広角端における全系の焦点距離をｆｗとしたとき、
０．１  ＜  ｆｗ／ｆ１  ＜  ０．３
なる条件を満足することを特徴とした請求項１〜請求項４のいずれかに記載のズームレンズ。
【請求項８】
前記第４群の最も像側にプラスチック非球面レンズを有し、該プラスチック非球面レンズの材質のアッベ数をＶｄとしたとき、
Ｖｄ  ＞  ５０
なる条件を満足することを特徴とした請求項１〜請求項４のいずれかに記載のズームレンズ。
【請求項９】
前記第４群は物体側から順に正レンズ、負レンズ、プラスチックレンズを有することを特徴とした請求項１〜請求項４のいずれかに記載のズームレンズ。
【請求項１０】
前記第１群は正レンズ１枚、負レンズ１枚から成ることを特徴とした請求項１〜請求項４のいずれかに記載のズームレンズ。
【手続補正２】
【補正対象書類名】明細書
【補正対象項目名】００１４
【補正方法】変更
【補正の内容】
【００１４】
（第１の発明）
物体側から順に正の屈折力を有する第１群、負の屈折力を有する第２群、正の屈折力を有する第３群、正の屈折力を有する第４群より構成され、広角端から望遠端への変倍に際して、第１群と第２群の空気間隔が大きく、第２群と第３群の空気間隔が小さく、第３群と第４群の空気間隔が小さくなるように、第１群、第３群、第４群が物体側へ移動し、広角端におけるバックフォーカスをＳｋｗ、第３群の焦点距離をｆ３、広角端における全系の焦点距離をｆｗとしたとき、
０．２  ＜  ｆｗ／Ｓｋｗ＜  ０．６      （１）
０．０１＜  ｆｗ／ｆ３  ＜  ０．４      （２）
なる条件を満足することを特徴とするズームレンズ。
【手続補正３】
【補正対象書類名】明細書
【補正対象項目名】００１５
【補正方法】変更
【補正の内容】
【００１５】
（第２の発明）
物体側から順に正の屈折力を有する第１群、負の屈折力を有する第２群、正の屈折力を有する第３群、正の屈折力を有する第４群より構成され、広角端から望遠端への変倍に際して、第１群と第２群の空気間隔が大きく、第２群と第３群の空気間隔が小さく、第３群と第４群の空気間隔が小さくなるように、第１群、第３群、第４群が物体側へ移動し、広角端におけるバックフォーカスをＳｋｗ、絞りからレンズ最終面までの距離をＤｐｗ、広角端におけるレンズ第１面からレンズ最終面までの距離をＴＤｗ、広角端における全系の焦点距離をｆｗとしたとき、
０．２  ＜  ｆｗ／Ｓｋｗ  ＜  ０．６      （１）
０．２  ＜  ｆｗ／Ｄｐｗ  ＜  ０．４      （３）
０．４  ＜  Ｓｋｗ／ＴＤｗ＜  ０．８      （４）
なる条件を満足することを特徴とするズームレンズ。
【手続補正４】
【補正対象書類名】明細書
【補正対象項目名】００１６
【補正方法】変更
【補正の内容】
【００１６】
（第３の発明）
物体側から順に正の屈折力を有する第１群、負の屈折力を有する第２群、正の屈折力を有する第３群、正の屈折力を有する第４群より構成され、広角端から望遠端への変倍に際して、第１群と第２群の空気間隔が大きく、第２群と第３群の空気間隔が小さく、第３群と第４群の空気間隔が小さくなるように、第１群、第３群、第４群が物体側へ移動し、広角端におけるバックフォーカスをＳｋｗ、広角端から望遠端への変倍における第４群の移動量をｍ４、広角端における全系の焦点距離をｆｗとしたとき、
０．２  ＜  ｆｗ／Ｓｋｗ＜  ０．６      （１）
−３．０  ＜  ｍ４／ｆｗ  ＜  −０．４      （５）
なる条件を満足することを特徴とするズームレンズ。
【手続補正５】
【補正対象書類名】明細書
【補正対象項目名】００１７
【補正方法】変更
【補正の内容】
【００１７】
（第４の発明）
物体側から順に正の屈折力を有する第１群、負の屈折力を有する第２群、正の屈折力を有する第３群、正の屈折力を有する第４群より構成され、広角端から望遠端への変倍に際して、第１群と第２群の空気間隔が大きく、第２群と第３群の空気間隔が小さく、第３群と第４群の空気間隔が小さくなるように、第１群、第３群、第４群が物体側へ移動し、第３群は１枚の正レンズから成り、広角端におけるバックフォーカスをＳｋｗ、広角端における全系の焦点距離をｆｗとしたとき、
０．２  ＜  ｆｗ／Ｓｋｗ  ＜  ０．６      （１）
なる条件を満足することを特徴とするズームレンズ。
【手続補正６】
【補正対象書類名】明細書
【補正対象項目名】００３３
【補正方法】変更
【補正の内容】
【００３３】
実施形態１〜６に係るズームレンズは、４つのレンズ群を全て移動させてズーミング及び変倍に伴う像面変動の補正を行うことにより、屈折力の効率的な分配を行い、全体としてコンパクトな光学系ながらも高い変倍比と良好な光学性能を得ている。
【手続補正７】
【補正対象書類名】明細書
【補正対象項目名】００３４
【補正方法】変更
【補正の内容】
【００３４】
第１群は正レンズ１枚と負レンズ１枚で構成することで、色収差を補正すると共に、特に望遠端における球面収差を補正することが出来る。２枚構成とすることで第１群を薄くできるのでメカ構成においても有利であり小型化に寄与する。
【手続補正８】
【補正対象書類名】明細書
【補正対象項目名】００５５
【補正方法】変更
【補正の内容】
【００５５】
更に好ましくは、条件式（５）の下限値を−２．０とすることが望ましい。また、上限値を−１．１とすることが望ましい。
【手続補正９】
【補正対象書類名】明細書
【補正対象項目名】００７１
【補正方法】変更
【補正の内容】
【００７１】
条件式（７）の下限値を超えると、第４群の屈折力が強くなり過ぎて、特に広角端において像面湾曲が増大し、また、望遠端において球面収差を補正することが困難となるので好ましくない。また、上限値を超えると第４群の屈折力が弱くなり過ぎて、特に広角端においてレトロフォーカスタイプが弱くなり、バックフォーカスの確保が困難となるので好ましくない。